(57)【要約】　　　（修正有）【課題】一般家庭や病院等で使用する脱臭器の一層の省エネルギー化と脱臭性能の向上を図る。【解決手段】吸気口１ｂと排気口１ａを備えた容器１と、容器内に設けたセラミクス製の板体２と、容器の内部へ空気を流通させるファン３とから脱臭器Ａを構成する。【選択図】　　　図５
0003099241.tif 000002
【実用新案登録請求の範囲】
【請求項１】
吸気口と排気口を備えた容器と、容器内に設けたセラミクス製板体と、容器内へ空気を流通させるファンとから構成したことを特徴とする脱臭器。
【請求項２】
複数枚のセラミクス製板体を容器内に間隔を置いて並設する構成とした請求項１に記載の脱臭器。
【請求項３】
容器内壁面にセラミクス製板体を固着した請求項１に記載の脱臭器。
【請求項４】
吸気口と排気口を備えたセラミクス製容器と、容器内へ空気を流通させるファンとから構成したことを特徴とする脱臭器。
【請求項５】
セラミクス製容器を、その外側に非セラミクス材からなる容器を備えた構成とした請求項４に記載の脱臭器。
【請求項６】
セラミクスを遠赤外線又は放射線を放射する材質若しくは磁力線を放射する材質のセラミクスとした請求項１又は請求項４に記載の脱臭器。
【請求項７】
容器内に紫外線ランプを配設すると共に、紫外線ランプ点灯用のインバータを容器に取り付けした請求項１又は請求項４に記載の脱臭器。
【請求項８】
紫外線ランプを、冷陰極放電型で且つ２５３．７ｎｍと１８５ｎｍのピーク波長を持つ紫外線を放射する紫外線ランプとした請求項７に記載の脱臭器。
【請求項９】
インバータを容器内に設ける構成とした請求項７に記載の脱臭器。
【考案の詳細な説明】
【０００１】
【考案の属する技術分野】
本考案は、一般家庭や病院等で使用される室内用脱臭器の改良に関するものであり、簡単な構造で、しかも省エネルギーを図りつつ高い脱臭性能を得られるようにした脱臭器に関するものである。
【０００２】
【従来の技術】
一般に気体の殺菌・脱臭装置としては、活性炭やオゾン発生ランプを筒状ケーシングの内部へ格納した構造のものが多く利用されている。
図１０は、この種の脱臭装置の一例を示すものであり、流体入口ａ１　と流体出口ａ２　を有する脱臭器ケースａの内部に、オゾン発生部ｂと活性炭や触媒を充填した反応部ｃとを配設すると共に、流体出口ａ２　の近傍に流通ファンｄを、またオゾン発生部ｂと反応部ｃとの間に攪拌ファンｅを夫々設け、臭気成分とオゾンとのミキシング性や臭気成分と触媒剤等との接触性を攪拌ファンｅによって高めることにより、より高度な脱臭・殺菌性を得られるようにしたものである（特開平１０−５７４６１号等）。
【０００３】
【先行技術】
特開平１０−　５７４６１号
特開平　８−１３１５３０号
特開平　７−１０８０５８号
【０００４】
前記図１０の如き構成の脱臭器は高い脱臭性能を有しているため、化学工場等に於いては広く実用に供されている。
しかし、流通用ファンｄと攪拌用ファンｅの２台のファンを使用するため、消費電力が増えると共に運転騒音が高くなると云う難点がある。
また、オゾン発生部ｂや反応部ｃを設けているため、脱臭器そのものが大型になって製造コストの引下げを図り難い。
【０００５】
これ等の理由により、従前のこの種脱臭器には、一般の家庭や病院等の室内用脱臭器として簡便に利用することが出来ないと云う問題がある。
【０００６】
【考案が解決しようとする課題】
本考案は、従前のこの種脱臭器に於ける上述の如き問題を解決し、一般家庭や病院に於いても簡便に利用することができ、安価で省エネルギーが図れ、しかも高い脱臭性能を得られるようにした脱臭器を提供することを、考案の主目的とするものである。
【０００７】
【課題を解決するための手段】
本考案は上記目的を達成するため、次のような技術的事項を脱臭器の基本的構成として用いている。
即ち、請求項１の考案に係る脱臭器は、吸気口と排気口を備えた容器と、容器内に設けたセラミクス製板体と、容器内へ空気を流通させるファンとを脱臭器の基本構成とするものである。
【０００８】
また、請求項４の考案に係る脱臭器は、吸気口と排気口を備えたセラミクス製容器と、容器内へ空気を流通させるファンとを脱臭器の基本構成とするものである。
【０００９】
【考案の実施の形態】
以下、図面に基づいて本考案の各実施形態を説明する。図１及び図２は本考案の第１実施形態を示すものであり、脱臭器Ａは側方に排気口１ａと吸気口１ｂを設けた箱型の容器１と、容器１の内部に設けたセラミクス板２と、排気口１ａの近傍に設けたファン３とから形成されている。
【００１０】
前記容器１は金属材又は合成樹脂材から箱型に形成されており、その両側方には排気口１ａと吸気口１ｂが設けられている。
また、容器１内の排気口１ｂの近傍にはファン３が設けられており、一端を容器１に固定したファン支持体３ａを介して、支持固定されている。
【００１１】
前記セラミクス板２としては、遠赤外線を放射するセラミクス板や遠赤外線とα線やβ線、α線等の放射線を放射するセラミクス板或いは遠赤外線と放射線と磁力線を放射するセラミクス板等が使用されており、適宜の厚さの板状に加工されたセラミクス板が容器１内に所定の間隔を置いて並列状に配設固定されている。
【００１２】
尚、上記遠赤外線放射性セラミクスやγ線等の放射性セラミクス、磁力線放射性セラミクス及びこれ等の組み合せに係る放射性セラミクスについては、既に公知であるためここではその説明を省略する。
【００１３】
前記図１及び図２の第１実施形態に於いては、セラミクス板２を容器１内へ並列状に配設するようにしているが、当該セラミクス板２は容器１の内壁面へ貼着するだけでも十分である。
【００１４】
また、図１及び図２の第１実施形態に於いては、容器１を非セラミクス材で形成すると共に、セラミクス板２を容器１内に配列及び又は容器１の内壁面へ貼着するようにしているが、容器１そのものをエネルギー放射性のセラミクス材により形成するようにしてもよい。
【００１５】
更に、図１及び図２の第１実施形態に於いては、容器１を非セラミクス材で形成すると共に、セラミクス板２を容器１内に配列及び又は容器１の内壁面へ貼着するようにしているが、図３及び図４の第２実施形態に示すように容器１をエネルギー放射性セラミクス材から成る内側ケース体１ｃと、非セラミクス材から成る外側ケース体１ｄとの組み合せからなる２重筒形状の容器としてもよい。
【００１６】
図５乃至図７は、本考案の第３実施形態を示すものであり、前記第１実施形態又は第２実施形態の脱臭器Ａに紫外線ランプ４と当該紫外線ランプ４の点灯用インバータ５とを付加したものである。
即ち、紫外線ランプ４は容器１内にランプ支持体４ａを介して容器１の長手方向の軸芯上に配置されており、ランプ支持体４ａを介して容器１に固定されている。
【００１７】
前記紫外線ランプ４は、通常１００Ｖ、３〜５０Ｗ程度の容量を備えており、所謂冷陰極放電式であって、２５３．７ｎｍと１８５ｎｍのピーク波長の紫外線を放出するランプが使用されている。尚、紫外線ランプ４の容量は、容器１の寸法や脱臭器Ａの処理容量に応じて適宜に選定され、一般家庭用等の脱臭器Ａでは３〜１０Ｗの容量のものが使用される。
【００１８】
また、前記紫外線ランプ４への電力供給源を構成するインバータ５には公知のインバータ装置が使用されており、本実施例に於いては５Ｗのランプ４に対して容量１０Ｗのインバータ５が用いられており、支持体５ａを介して容器１内へ支持固定されている。
【００１９】
尚、前記図５乃至図７に於いてはインバータ５を容器１内へ配置するようにしているが、容器１の外方にインバータ５を設置するようにしてもよいことは勿論である。
また、本考案で使用されている冷陰極式の紫外線ランプ４及びこれの点灯用インバータ５は、夫々公知であるため、ここではその詳細な説明を省略する。
【００２０】
図１乃至図７を参照して、本考案の脱臭器Ａの使用に際しては、先ずファン３を起動し、次に紫外線ランプ４を点灯する。前記ファン４を起動することにより、吸気口１ｂから吸引された室内空気が容器１内を流通して、排気口１ａから室外へ排出される。
前記容器１へ吸引された室内の空気は、容器１内を流通する間にセラミクス板と接触し、セラミクス板から放射された遠赤外線やγ線等の放射線或いは磁力線によって活性化されると共に、臭気成分が分解されて脱臭される。
【００２１】
また、紫外線ランプ４が点灯している場合には、前記セラミクス板との接触により活性化されて臭気成分がある程度分解された空気流が、更に紫外線によって分解並びに殺菌処理されることになり、室内空気のより高度な脱臭・殺菌が行なわれる。
【００２２】
尚、前記図１乃至図７の実施形態に於いては、容器１の排気口１ａ側にファン３を設けるようにしているが、容器１の吸気口１ｂ側にファン３を設けるようにしてもよい。
また、前記図５乃至図７の実施形態に於いては、インバータ５を容器１内に設けるようにしているが、これを容器１の外方に設置するようにしてもよいことは勿論である。
【００２３】
図８及び図９は、本考案で用いた紫外線ランプ４の脱臭効果を示すものである。
即ち、当該脱臭テストは、横幅４５０ｍｍ×奥行４５０ｍｍ×高さ９００ｍｍの密閉容器の全内壁面にビニール製の壁紙を貼着し、その内部にＡｃ１００Ｖ、ランプ出力６Ｗの冷陰極放電型紫外線ランプ４と容量１０Ｗのインバータ５とを配置すると共に、前記密閉容器内へホルマリン約５０ｐｐｍを含有する空気を封入した場合（図８）、並びにアセトアルデヒド約２５ｐｐｍを含有する空気を封入した場合（図９）の夫々について、紫外線ランプ４による臭気成分の分解除去性能を実測したものである。
尚、測定はガステック株式会社製のガス濃度検出器を用い、密閉容器の内部の最上部点に於ける臭気成分濃度を連続的に測定することにより行った。
【００２４】
図８及び図９からも明らかなように、紫外線ランプ４を点灯すると、臭気成分の自然減衰曲線Ｄ１　、Ｄ２　に比較して、曲線Ｃ１　、Ｃ２　のように臭気成分が急激に分解除去されることが判る。
【００２５】
尚、前記図８及び図９の曲線Ｃ１　、Ｃ２　は紫外線ランプ４のみを点灯した場合を示すものであるが、厚さ３ｍｍの遠赤外線放射性のセラミクス板を容器本体の全内壁面に貼着し、そして小型の撹拌羽根で密閉容器内の空気を強制撹拌した場合には、臭気成分の分解除去が前記図８及び図９の曲線Ｅ１　、Ｅ２　のようになり、より高い脱臭性能が得られることが、実測により確認されている。
【００２６】
【考案の効果】
本考案では、エネルギー放射性のセラミクス板に室内の空気流を循環的には接触流通させることにより、より少ないエネルギー消費でもって空気を活性化させると共に臭気成分を分解除去することができ、高い脱臭性能を得ることが出来る。
【００２７】
また、紫外線ランプ４とエネルギー放射性セラミクス板２とを組み合せることにより、より一層高い臭気成分の分解除去を行なうことが出来ると共に、室内の壁面や床等に吸着されたタバコ臭やペット臭、シクワウスの原因物質等の分解除去、並びに敷物のカビやダニ等の発生防止を図ることが出来る。
本考案は上述の通り優れた実用的効用を奏するものである。
【図面の簡単な説明】
【図１】本考案の第１実施形態を示す脱臭器の縦断面図である。
【図２】図１のイーイ視断面図である。
【図３】本考案の第２実施形態を示す脱臭器の縦断面図である。
【図４】図３のイーイ視断面図である。
【図５】本考案の第３実施形態を示す脱臭器の縦断面図である。
【図６】図５のイーイ視断面図である。
【図７】図５のローロ視断面図である。
【図８】本考案で用いた紫外線ランプの脱臭効果を示す線図である。
【図９】考案で用いた紫外線ランプの脱臭効果を示す線図である。
【図１０】従前の脱臭器の概要を示す説明図である。
【符号の説明】
Ａ　脱臭器、１　脱臭器、１ａ　排気口、１ｂ　吸気口、１ｃ　内側ケース体、１ｄ　外側ケース体、２　セラミクス板、３　ファン、３ａ　ファン支持体、４　紫外線ランプ、４ａ　ランプ支持体、５　インバータ、５ａ　インバータ支持体。
【図１】
0003099241.tif 000003
【図２】
0003099241.tif 000004
【図３】
0003099241.tif 000005
【図４】
0003099241.tif 000006
【図５】
0003099241.tif 000007
【図６】
0003099241.tif 000008
【図７】
0003099241.tif 000009
【図８】
0003099241.tif 000010
【図９】
0003099241.tif 000011
【図１０】
0003099241.tif 000012